(57)【要約】      （修正有）【課題】火熾し時に火熾し器や着火剤を別途必要とせず、着火剤により手が汚れず、高火力を長時間維持でき、使用後の後始末が容易でグリルも汚れにくく、開口サイズが同じグリルであれば深さに関係なく同一の木炭燃料パックを使用可能な木炭燃料ユニットを提供する。【解決手段】木炭燃料ユニット１０は、紙袋１１に複数のオガ炭１２と着火シート１３とが装填された木炭燃料パック１４と、木炭燃料パック１４を収納する金属箔トレイ１５と、金属箔トレイ１５の線状スタンド１６とを備えている。【選択図】図１
2019118636.tif 000002
【特許請求の範囲】
【請求項１】
紙袋に、含浸用着火剤が含浸された複数の成形木炭および流動パラフィンを含浸した着火シートを含む着火剤が装填された木炭燃料パックと、
該木炭燃料パックの収納空間を有する金属箔トレイと、
該金属箔トレイを、その開口した上面を水平な状態で持ち上げて支持するスタンドとを備えた木炭燃料ユニット。
【請求項２】
前記紙袋は、内面に合成樹脂膜が積層された横長な矩形状のもので、
前記各成形木炭は、前記紙袋の全体に並列状態で装填され、
前記着火剤は、前記金属箔トレイへの収納状態で、前記紙袋に装填された全ての前記成形木炭の上面に載置される平坦で矩形状の吸液性硬質シート材に、流動パラフィンが含浸された前記着火シートである請求項１の木炭燃料ユニット。
【請求項３】
前記スタンドは、金属線材製の平面視して矩形状をした環状枠である線状スタンドで、
該線状スタンドは、該線状スタンドの下部を構成する台枠の各上端部と、前記線状スタンドの上部を構成して前記金属箔トレイを支持する支持枠の各下端部とを、複数の高さ調整ジョイント管を介して、それぞれ高さ調整可能に連結したもので、
該各高さ調整ジョイント管は、前記金属線材より熱膨張率の低い金属、または、前記成形木炭の燃焼熱の作用で、前記台枠の上端部と前記支持枠の下端部との連結力を高めるように変形する形状記憶合金からなる請求項１または請求項２に記載の木炭燃料ユニット。
【請求項４】
前記請求項１〜請求項３のうち、何れかの木炭燃料ユニットで使用される木炭燃料パック。
【発明の詳細な説明】
【技術分野】
【０００１】
この発明は、木炭燃料ユニットおよび木炭燃料パック、詳しくは成形木炭（オガ炭）を使用し、屋外で加熱調理をする際に使用される木炭燃料ユニットおよび木炭燃料パックに関する。
【背景技術】
【０００２】
従来、例えば、屋外でバーベキューをする際に使用する固形燃料として、黒炭を紙袋に収納した紙袋入り黒炭（木炭燃料パック）が知られている。火熾し時には、黒炭の火熾しを短時間で確実に行うため、火熾し器、または、非特許文献１に記載された固形着火剤や、ジェル状着火剤などを用いる場合が多い。具体的には、紙袋入り黒炭をバーベキューグリルの底部に載置し、その横に固形着火剤を配して着火する。または、紙袋の上にジェル状着火剤を塗布して火を点ける。
【先行技術文献】
【特許文献】
【０００３】
【非特許文献１】［平成２９年１２月２３日検索］、インターネット＜URL：https://search.rakuten.co.jp/search/mall/着火剤/＞
【発明の開示】
【発明が解決しようとする課題】
【０００４】
しかしながら、紙袋入り黒炭の場合、このように短時間で確実に火熾しするには、火熾し器や着火剤を別に用意する必要があった。また、着火剤の使用時、特にジェル状着火剤の使用時には、チューブの吐出口から漏れた着火剤により、手が汚れるおそれがあった。
さらに、紙袋入り黒炭を使用してバーベキューを行った場合、使用後、バーベキューグリルの底面に、焦げ付いた炭が大量に残る。そのため、この焦げを?き取るための後始末が必要であった。
さらにまた、バーベキューグリルは、同一の金網を使用可能な開口サイズが同じものでも、製品の種類（型式）ごとに、深さが異なることが多い。その結果、同じ開口サイズでありながら、製品の種類ごとに紙袋入り木炭の使用量が異なっていた。
【０００５】
そこで、発明者は鋭意研究の結果、着火剤を紙袋内に収納すれば、火熾し器や着火剤を別途用意する必要がなく、また火熾し時、着火剤によって手を汚すこともなく、しかも黒炭に代えて成形木炭を紙袋に収納した木炭燃料パックを使用すれば、黒炭より高い火力を長時間維持できることを知見し、この発明を完成させた。
また、発明者は、鋭意研究の結果、木炭燃料パックを使い捨て可能な金属箔トレイに収納し、この金属箔トレイをスタンドに載置して所定の高さまで持ち上げ可能とすれば、利用されるグリルの深さに関係なく、少量の成形木炭でもって食材を加熱調理できることを知見し、この発明を完成させた。
【０００６】
すなわち、この発明は、火熾し時に火熾し器や着火剤を別途用意する必要がなく、着火剤による手の汚れも発生せず、黒炭より高火力を長時間維持することができ、さらには使用後の後始末も容易でグリルが汚れにくく、開口サイズが同じグリルであれば、グリルの深さに関係なく少量の成形木炭を使用して食材を加熱調理することができる木炭燃料ユニットを提供することを目的としている。
また、この発明は、火熾し時に火熾し器や着火剤を別途用意する必要がなく、着火剤による手の汚れも生じることがなく、黒炭より高火力を長時間維持することができる木炭燃料パックを提供することを目的としている。
【課題を解決するための手段】
【０００７】
請求項１に記載の発明は、紙袋に、含浸用着火剤が含浸された複数の成形木炭、および、流動パラフィンを含浸した着火シートを含む着火剤が装填された木炭燃料パックと、該木炭燃料パックの収納空間を有する金属箔トレイと、該金属箔トレイを、その開口した上面を水平な状態で持ち上げて支持するスタンドとを備えた木炭燃料ユニットである。
【０００８】
ここでいう木炭燃料パックとは、紙袋の中に、含浸用着火剤付きの複数の成形木炭と、着火剤とを収納したものである。
紙袋の素材は、可燃性の紙であれば任意である。
紙袋の形状は限定されない。例えば、縦長または横長の矩形状などを採用することができる。
紙袋のサイズも、袋内に複数の成形木炭と着火剤を収納できれば任意である。
【０００９】
含浸用着火剤の種類は、成形木炭に含浸可能であれば任意である。例えば、流動パラフィンや、アルコール系のジェル状着火剤でもよい。
成形木炭とは、例えば、オガクズを加熱圧縮して製造した成型薪（オガライト）を炭化させたオガ炭（成形備長炭）をいう。その性質は白炭（備長炭）に似て燃焼臭が少なく、高火力を長時間安定して持続する。
成形木炭の形状は、中空状のものでも、中実状のものでもよい。
成形木炭の長さは任意である。例えば、長さ２〜３ｃｍのものが取り扱い易い。
【００１０】
着火シートとは、例えば、布帛（織布、不織布、網布）からなる基材シートに、流動パラフィンを含浸させたものなどを採用することができる。基材シートは湾曲しにくい硬質のものでも、自在に湾曲する軟質のものでもよい。
着火シートを除いた着火剤としては、例えば、各種の固形着火剤、各種のジェル状着火剤などを採用することができる。
金属箔の素材は任意である。例えば、アルミニウム箔などを採用することができる。
【００１１】
金属箔トレイの形状は限定されない。例えば、矩形容器状、円形容器状、楕円容器などを採用することができる。
金属箔トレイのサイズも任意である。木炭燃料パックを内部空間に収納可能であれば限定されない。
スタンドの種類は限定されない。例えば、金属線材からなるものでも、金属製の板材や棒材からなるものでもよい。
スタンドの形状は、金属箔トレイの形状に応じて適宜変更される。例えば、矩形枠状でもよい。
スタンドのサイズも金属箔トレイのサイズに応じて適宜変更される。
【００１２】
請求項２に記載の発明は、前記紙袋は、内面に合成樹脂膜が積層された横長な矩形状のもので、前記各成形木炭は、前記紙袋の全体に並列状態で装填され、前記着火剤は、前記金属箔トレイへの収納状態で、前記紙袋に装填された全ての前記成形木炭の上面に載置される平坦で矩形状の吸液性硬質シート材に、流動パラフィンが含浸された前記着火シートである請求項１の木炭燃料ユニットである。
【００１３】
紙袋の内面に積層される合成樹脂膜の素材は任意である。例えば、ポリプロピレン、ポリエチレンなどを採用することができる。ただし、成形木炭に含浸された含浸用着火剤の袋外への漏出を防止可能な、耐薬品性の高いものが好ましい。
ここでいう「成形木炭が紙袋の全体に並列状態で装填される」とは、紙袋の内部空間に複数の成形木炭を、縦横整列状態で詰め込むことをいう。
吸液性硬質シート材としては、流動パラフィンの吸液性を有した各種の硬質の織布、各種の硬質の不織布などを採用することができる。その他、硬質ポリプロピレンなどの各種の硬質発泡合成樹脂でもよい。
ここでの硬質の程度”は、吸液性硬質シート材を縦置きしたとき、容易には崩れ落ちない程度の硬度をいう。
【００１４】
請求項３に記載の発明は、前記スタンドは、金属線材製の平面視して矩形状をした環状枠である線状スタンドで、該線状スタンドは、該線状スタンドの下部を構成する台枠の各上端部と、前記線状スタンドの上部を構成して前記金属箔トレイを支持する支持枠の各下端部とを、複数の高さ調整ジョイント管を介して、それぞれ高さ調整可能に連結したもので、該各高さ調整ジョイント管は、前記金属線材より熱膨張率の低い金属、または、前記成形木炭の燃焼熱の作用で、前記台枠の上端部と前記支持枠の下端部との連結力を高めるように変形する形状記憶合金からなる請求項１または請求項２に記載の木炭燃料ユニットである。
【００１５】
金属線材としては、例えば、各種の針金（鉄製針金、アルミニウム製針金など）を採用することができる。
金属線材の太さは、木炭燃料パックを支持可能な強度を得られれば任意である。例えば、直径２ｍｍ程度でもよい。
環状枠とは、１本の金属線材の両端を連結して無端状とした枠である。
台枠の形状は、線状スタンドの下部を構成可能な形状であれば任意である。
また、支持枠の形状も、線状スタンドの上部を構成し、金属箔トレイを支持可能な形状であれば任意である。
台枠の上端部および支持枠の下端部の各本数は任意である。線状スタンドが矩形状の環状枠であるため、一般的にはそれぞれ４本である。
【００１６】
高さ調整ジョイントは、成形木炭の燃焼熱により変形することで、台枠の上端部と前記支持枠の下端部との連結力を高める部材である。
「高さ調整ジョイント管が、金属線材より熱膨張率の低い金属からなる」とは、高さ調整ジョイント管の金属素材の線膨張率が、線状スタンド用の金属線材の線膨張率より低いことを意味する（バイメタルを含む）。具体的には、高さ調整ジョイント管が線膨張率１０．４×１０−６／Ｋのステンレス鋼（ＳＵＳ４１０）で、線状スタンド用の金属線材が線膨張率１９×１０−６／Ｋの黄銅である場合などがこれに該当する。その他、高さ調整ジョイント管が線膨張率１０．８×１０−６／Ｋの炭素鋼で、線状スタンド用の金属線材が線膨張率２３×10−６／Ｋのアルミニウムでもよい。
【００１７】
また、「成形木炭の燃焼熱により、台枠の上端部と支持枠の下端部との連結力を高めるように変形する形状記憶合金」とは、高さ調整ジョイント管が所定温度以上に加熱された時、高さ調整ジョイント管における台枠の上端部の挿入部分と、支持枠の下端部の挿入部分とが、例えば、縮径または適宜形状に屈曲（湾曲）することをいう。
形状記憶合金は、変態点以上の温度では、変形を受けてもすぐさま元の形状を回復する性質（超弾性）を有する。
形状記憶合金の素材としては、チタン‐ニッケルとの合金が一般的である。その他、鉄‐マンガン‐ケイ素合金（鉄系形状記憶合金）などを採用することができる。組成を変更することで、任意の温度以上になった時、あらかじめ設定した形状に変形する性質（マルテンサイト変態）を有する。
【００１８】
請求項４に記載の発明は、前記請求項１〜請求項３のうち、何れかの木炭燃料ユニットで使用される木炭燃料パックである。
【発明の効果】
【００１９】
請求項１および請求項４に記載の発明によれば、例えば、屋外でのバーベキュー時には、まずバーベキューグリルの底部に木炭燃料ユニットを載置する。このとき、バーベキューグリルの深さが深い場合には、金属箔トレイをスタンドに載置し、木炭燃料ユニットを所定の高さまで持ち上げる。これにより、少量の成形木炭であっても、食材を載置した金網に火元の各成形木炭を近づけて、食材の加熱調理をすることができる。
その後、マッチなどで木炭燃料パックの紙袋に着火する。これにより、紙袋の全体に火が燃え広がり、袋内の着火剤に引火して各成形木炭に火が点く。本来、成形木炭は黒炭に比べて着火しにくい。しかしながら、あらかじめ各成形木炭には含浸用着火剤が含浸されているため、紙袋に収納された着火剤が燃焼する短時間の低い火力であっても、成形木炭に着火することができる。
【００２０】
また、このように着火剤を紙袋に収納したため、火熾し時に火熾し器や着火剤を別途用意する必要がなく、かつ着火剤によって手を汚すこともない。
さらに、従来の黒炭に代えて成形木炭を採用したため、黒炭より高い火力を長時間維持することができる。
さらにまた、この木炭燃料パックを、使い捨て可能な金属箔トレイに収納したため、使用後は焼却灰を金属箔トレイごと廃棄することができる。その結果、使用したグリルが汚れにくく後片づけが容易となる。
【００２１】
特に、請求項２および請求項４に記載の発明によれば、横長な矩形状の紙袋の全体に、複数の成形木炭が並列状態（平置き状態）で装填されている。また、全ての成形木炭の上面には、吸液性硬質シート材に流動パラフィンが含浸された平坦で矩形状の着火シートが載置されている。したがって、仮に木炭燃料パックを縦置き状態で移送しても、吸液性硬質シート材をベースとした型崩れしにくい着火シートが、各成形木炭の全体をそれらの表面側から支持する。これにより、各成形木炭の紙袋内での整列状態は維持される。
【００２２】
しかも、このように着火シートが大判の吸液性硬質シート材からなるため、着火シートは常に全ての成形木炭の上面と接触している。これにより、木炭燃料パックの使用時に紙袋に点けた火は、この着火シートを介して、各成形木炭の上面に燃え移る。よって、着火直後より金属箔トレイの開口全域から高い火力が得られる。
【００２３】
以上の点は、木炭燃料パックが単独で流通（販売）される場合に、その効果が顕著となる。すなわち、木炭燃料パックが単独で販売される際には、紙袋が破れないように、単にプラスチック袋に入れて販売されることが一般的である。このとき、仮に着火シートとして軟質シート材を採用したならば、流通段階で、着火シートが自重により紙袋内の一箇所に偏在する可能性が高い。それに対して、本発明の着火シートは、各成形木炭の上面を一括して被うサイズの吸液性硬質シート材を基材としているため、仮に木炭燃料パックが、流通段階で粗雑に扱われたとしても、着火シートは紙袋内の一箇所に偏在せず、上述した効果は常に確保される。
その後、各成形木炭の上面に均等に移った火は、徐々に各成形木炭の下面へ向かって燃え広がって行く。そのため、黒炭に比べて高い火力を長時間維持することができる。
【００２４】
なお、仮に着火シートとして前記軟質シートを採用して、木炭燃料パックを縦置き状態で移送した場合には、下向きとなった紙袋の端部に、着火シートが自重で垂れ落ちる。このように、着火シートが垂れ落ちれば、紙袋に火を点けた際に、着火シートと接する一部の成形木炭だけしか着火することができず、着火直後は、金属箔トレイの開口全域から高い火力を得ることができない。
【００２５】
また、紙袋は内面に合成樹脂膜が積層されているため、流動パラフィンは袋の外へ漏れない。そのため、木炭燃料パックの取り扱い時、漏出した流動パラフィンにより手が汚れることはない。しかも、一部の流動パラフィンが各成形木炭の上面に吸着されるため、各成形木炭の着火性をさらに高めることができる。
【００２６】
また、請求項３および請求項４に記載の発明によれば、例えば、バーベキューグリルの底部に木炭燃料パックを載置する際に、高さ調整ジョイント管を利用し、バーベキューグリルの深さに応じて、金属箔トレイを支持する支持枠の高さを調整することができる。具体的には、バーベキューグリルの開口を塞ぐ金網上の食材を加熱調理するのに好適な火力が得られるように、高さ調整ジョイント菅にそれぞれ差し込まれる線状スタンドの台枠の上端部と、線状スタンドの支持枠の下端部との各差し込み長さを調整する。
【００２７】
その後、各成形木炭を燃やして食材を加熱調理すれば、その熱が、金属箔トレイから金属線材製の線状スタンドの支持枠を経て高さ調整ジョイント管に伝達される。このとき、高さ調整ジョイント菅が、金属線材より熱膨張率の低い金属からなる場合には、支持枠の温度（成形木炭の燃焼温度）が高まるほど、線状スタンドと高さ調整ジョイントとの熱膨張率の差が大きくなり、高さ調整ジョイント管による台枠の上端部と支持枠の下端部との連結力が増大する。
または、高さ調整ジョイント管が形状記憶合金からなる場合には、高さ調整ジョイント管が、成形木炭の燃焼熱で、その変態点以上の温度に到達した時、高さ調整ジョイント管が台枠の上端部と支持枠の下端部との連結力を高めるように変形する。
以上の結果、スタンドとして、金属線材を単に環状に折り曲げて作製された極めて簡単で安価な線状スタンドを採用したとき、その価格の高騰を招くことなく、線状スタンドの高さを調整可能で、しかも成形木炭の燃焼熱を利用し、無動力で各連結部分の連結強度を高めることができる。
【図面の簡単な説明】
【００２８】
【図１】この発明の実施例１に係る木炭燃料ユニットの組立状態を示す斜視図である。
【図２】この発明の実施例１に係る木炭燃料ユニットの分解斜視図である。
【図３】この発明の実施例１に係る木炭燃料ユニットに組み込まれる木炭燃料パックの縦断面図である。
【図４】この発明の実施例１に係る木炭燃料ユニットに組み込まれる別のスタンドの斜視図である。側面図である。
【図５】この発明の実施例１に係る木炭燃料ユニットによる食材の加熱調理状態を示す縦断面図である。
【図６】この発明の実施例２に係る木炭燃料ユニットに組み込まれる木炭燃料パックの拡大断面図である。
【発明を実施するための形態】
【００２９】
以下、この発明の実施例の木炭燃料ユニットおよび木炭燃料パックを、図面を参照して具体的に説明する。なお、ここでは屋外でバーベキューをする際に、バーベキューグリルの燃料として使用される場合を例にとる。
【実施例】
【００３０】
図１および図２において、１０はこの発明の実施例１に係る木炭燃料ユニットで、この木炭燃料ユニット１０は、紙袋１１に、流動パラフィン（含浸用着火剤）が含浸された複数のオガ炭１２（成形木炭）、および、流動パラフィンを含浸した着火シート１３（着火剤）が装填された木炭燃料パック１４と、木炭燃料パック１４の収納空間を有するアルミニウム箔（金属箔）製のアルミ箔トレイ１５（金属箔トレイ）と、アルミ箔トレイ１５を、その開口した上面を水平な状態で持ち上げて支持する針金（金属線材）製の線状スタンド（スタンド）１６とを備えている。
【００３１】
以下、これらの構成体を具体的に説明する。
図１〜図３に示すように、木炭燃料パック１４の外装材となる紙袋１１は、内面に耐油性の合成樹脂膜１１ａが積層された縦２２ｃｍ、横２７ｃｍの矩形状で可燃性の紙製の袋である。
オガ炭１２（成形備長炭）は、オガクズを加熱圧縮して製造した成型薪（オガライト）を炭化させた一辺が約４ｃｍの端面正方形で、長さが２〜３ｃｍの中空の成形木炭である。その性質は、白炭（備長炭）に似て燃焼臭が少なく、高火力を長時間安定して持続する。各オガ炭１２は、紙袋１１の全体に並列状態で５００ｇ分が装填されている。
【００３２】
着火シート１３は、縦２０ｃｍ、横２５ｃｍ、厚さ数ｍｍの湾曲自在な可燃性の不織布を基材シート１３ａとし、基材シート１３ａに流動パラフィンを含浸させたものである。このサイズであるため、着火シート１３は、紙袋１１に装填された全てのオガ炭１２の上面に載置される。
着火シート１３に含浸された含浸用着火剤は、流動パラフィンである。
アルミ箔トレイ１５は、アルミニウム箔をプレス成型した縦２２ｃｍ、横２７ｃｍ、深さ５ｃｍの横長な角形容器である。アルミ箔トレイ１５の上面の開口部には、矩形枠状の外フランジ１５ａが同一素材で一体形成されている。また、アルミ箔トレイ１５は、上方へ向かって徐々に口が広がった矩形ラッパ状の使い捨て火皿である。アルミ箔トレイ１５の底部には、通気孔が存在しない。そのため、焼却灰やごみがこの底部から零れ落ちない。
【００３３】
線状スタンド１６は、直径２ｍｍの１本のアルミニウム製の針金を適宜屈曲して付形した、平面視して矩形状の環状枠台である。線状スタンド１６は、その四隅に配される脚部１６ａと、アルミ箔トレイ１５の底板１５ａの長さ方向の両端部を下方支持する左右一対の底板支持部１６ｂと、アルミ箔トレイ１５の前板１５ｃと後板１５ｄとを挟持する一対の周壁支持部１６ｃとを有している。各底板支持部１６ｂの上枠部分と各周壁支持部１６ｃの上枠部分とは、それぞれ水平配置されている。
【００３４】
なお、図４に示すように、この線状スタンド１６を、下部を構成する一対の台枠１７と、上部を構成してアルミ箔トレイ１５を支持する一対の支持枠１８とにより上下分割し、さらに台枠１７の上方方向へ延びる４本の上端部１７ａと、支持枠１８の下方へ延びる４本の下端部１８ａとを、アルミニウム（２３×１０−６／Ｋ）製の針金より線膨張率の低い炭素鋼（１０．８×１０−６／Ｋ）からなる４つの高さ調整ジョイント管１９を介して、それぞれ高さ調整可能に連結した線状スタンド１６Ａに変更してもよい。
【００３５】
こうすれば、例えば、バーベキューグリル２０のより深い底部に木炭燃料パック１４を載置する際に、高さ調整ジョイント管１９を利用し、バーベキューグリル２０の深さに応じて、各高さ調整ジョイント管１９に差し込まれる線状スタンド１６の台枠１７の上端部と、線状スタンド１６の支持枠１８の下端部との各差し込み長さ、すなわち、アルミ箔トレイ１５を支持する各支持枠１８の高さを調整することができる。その結果、バーベキューグリル２０の底部がさらに深くても、バーベキューグリル２０の開口に置かれた金網２１上の食材を加熱調理するのに好適な火力を得ることができる。
【００３６】
各オガ炭１２を燃やして食材を加熱調理したとき、その熱が、アルミ箔トレイ１５から線状スタンド１６の各支持枠１８を経て、各高さ調整ジョイント管１９に伝達される。このとき、高さ調整ジョイント管１９が、アルミニウム製の針金より熱膨張率の低い金属からなるため、支持枠１８の温度が高まるほど、線状スタンド１６と高さ調整ジョイント管１９との熱膨張率の差が大きくなり、高さ調整ジョイント管１９による台枠１７の上端部と支持枠１８の下端部との連結力が堅固となる。そのため、加熱調理中に、木炭燃料ユニット１０の自重の作用で、各高さ調整ジョイント管１９による各台枠１７の上端部と各支持枠１８の下端部との連結が緩み、木炭燃料パック１４の高さが低くなることがない。
なお、各高さ調整ジョイント管１９は、オガ炭１２の燃焼熱の作用で、各台枠１７の上端部と各支持枠１８の下端部との連結力を高めるように変形する形状記憶合金からなる高さ調整ジョイント管１９Ａを採用してもよい。形状記憶合金は、チタン‐ニッケル合金で、例えば２００℃以上になった時、あらかじめ設定した微小な波打ち形状に変形する。
このように、スタンドとして、金属線材を単に環状に折り曲げて作製された極めて簡単で安価な線状スタンド１６を採用したとき、その価格の高騰を招くことなく、線状スタンド１６の高さを調整可能で、しかもオガ炭１２の燃焼熱を利用して、台枠１７の各上端部と支持枠１８の各下端部との連結部分の連結強度を無動力で高めることができる。
【００３７】
次に、図１〜図３、図５を参照して、この発明の実施例１に係る木炭燃料ユニット１０のバーベキューでの使用方法を説明する。
図１〜図３、図５に示すように、屋外でのバーベキュー時には、まず、アルミ箔トレイ１５に木炭燃料パック１４が収納された木炭燃料ユニット１０を、支脚が付いた矩形容器状のバーベキューグリル２０の底部に載置する。ここでは、バーベキューグリル２０の開口サイズに合わせて、木炭燃料パック１４を２つ使用する。
このとき、バーベキューグリル２０の深さが深いため、アルミ箔トレイ１５を線状スタンド１６に載置し、アルミ箔トレイ１５をバーベキューグリル２０の金網２１が配された開口部付近まで持ち上げる。これにより、紙袋１１内に装填された少量（５００ｇ×２）のオガ炭１２であっても、バーベキューの食材を載置した金網２１に火元の各オガ炭１２を近づけ、高い火力で食材を加熱調理することが可能となる。
【００３８】
次に、マッチを使用し、紙袋１１に着火する。これにより、紙袋１１の全体に火が燃え広がり、袋内の着火シート１３に引火して各オガ炭１２に火が点く。このオガ炭１２は、従来品の黒炭に比べて着火しにくい。しかしながら、あらかじめオガ炭１２の全体に流動パラフィンが含浸されているため、紙袋１１に収納した着火シート１３が燃焼する短時間の小さな火力でも、各オガ炭１２に着火することができる。その後、各成形木炭の上面に均等に移った火は、徐々に各オガ炭１２の下面へ向かって燃え広がって行く。そのため、この高い火力を長時間維持することができる。
【００３９】
このように、着火シート１３を紙袋１１に収納したため、火熾し時、火熾し器や着火剤を別途用意する必要がなく、かつ着火剤（特にジェル状着火剤）によって手を汚すこともない。
さらに、従来の黒炭に代えてオガ炭１２を採用したため、黒炭に比べて高い火力を長時間（例えば２時間以上）維持することができ、しかも臭いもほとんどしない。
さらにまた、この木炭燃料パック１４を、底部に通気孔が存在しない使い捨てタイプのアルミ箔トレイ１５に収納したため、使用後は焼却灰を通気孔から零すことなく、アルミ箔トレイ１５（木炭燃料ユニット１０）ごと廃棄することができる。その結果、使用したグリルが汚れにくく後片づけが容易となる。
【００４０】
次に、図６を参照してこの発明の実施例２に係る木炭燃料ユニットおよび木炭燃料パックを説明する。
図６に示すように、実施例２の木炭燃料ユニット１０Ａの特徴は、木炭燃料パック１５Ａの着火シート１３Ａとして、紙袋１１に装填された全てのオガ炭１２の上面に載置される吸液性硬質シート材２２に流動パラフィンが含浸された平坦で矩形状のものを採用した点である。
吸液性硬質シート材２２は、硬質の合成繊維をバインダにより固めた硬質不織布である。その硬さは段ボール程度である。
【００４１】
このように、全てのオガ炭１２の上面に、吸液性硬質シート材２２に流動パラフィンが含浸された平坦で矩形状の着火シート１３Ａを載置するように構成したため、仮に木炭燃料パック１４Ａを縦置き状態で移送しても、吸液性硬質シート材２２をベースとした型崩れしにくい着火シート１３Ａが、各オガ炭１２の全体をそれらの表面側から支持する。これにより、各オガ炭１２の紙袋１１内での整列状態は維持される。
しかも、このように着火シート１３Ａが大判の吸液性硬質シート材２２からなるため、着火シート１３Ａは常に全てのオガ炭１２の上面と接触している。これにより、木炭燃料パック１４Ａの使用時に紙袋１１に点けた火は、この着火シート１３Ａを介して、各オガ炭１２の上面に燃え移る。よって、着火直後よりアルミ箔トレイ１５の開口全域から高い火力が得られる。
【００４２】
以上の点は、木炭燃料パック１４Ａが単独で流通（販売）される場合に、その効果が顕著となる。すなわち、木炭燃料パック１４Ａが単独で販売される際には、紙袋１１が破れないように、プラスチック袋に入れて販売されることが一般的である。このとき、仮に着火シート１３Ａとして軟質シート材を採用したならば、流通段階で、着火シート１３Ａが自重により紙袋１１内の一箇所に偏在する可能性が高い。それに対して、実施例２の着火シート１３Ａは、各オガ炭１２の上面を一括して被うサイズの吸液性硬質シート材２２を基材としているため、仮に木炭燃料パック１４Ａが、流通段階で粗雑に扱われたとしても、着火シート１３Ａは紙袋１１内の一箇所に偏在せず、上述した効果は常に確保される。
【００４３】
なお、仮に軟質の着火シート１３Ａを採用して、この木炭燃料パック１４Ａを縦置き状態で移送した場合には、下向きとなった紙袋１１の端部に、着火シート１３Ａが自重で垂れ落ちる。このように、着火シート１３Ａが垂れ落ちれば、紙袋１１に火を点けた際に、着火シート１３Ａと接する一部のオガ炭１２だけしか着火できず、着火直後は、アルミ箔トレイ１５の開口全域から高い火力を得ることができない。
また、紙袋１１は内面に合成樹脂膜１１ａが積層されているため、流動パラフィンは袋の外へ漏れない。これにより、木炭燃料パック１４Ａの取り扱い時、漏出した流動パラフィンによって手が汚れることはない。しかも、一部の流動パラフィンが各オガ炭１２の上面に吸着されるため、各オガ炭１２の着火性をさらに高めることができる。
その他の構成、作用および効果は、実施例１と略同じであるため、説明を省略する。
【産業上の利用可能性】
【００４４】
この発明は、成形木炭を使用し、屋外で加熱調理をする際に使用される木炭燃料ユニットおよび木炭燃料パックの技術として有用である。
【符号の説明】
【００４５】
１０，１０Ａ  木炭燃料ユニット、
１１  紙袋、
１１ａ  合成樹脂膜、
１２  オガ炭（成形木炭）、
１３，１３Ａ  着火シート、
１４，１４Ａ  木炭燃料パック、
１５  アルミ箔トレイ（金属箔トレイ）、
１６  線状スタンド（スタンド）、
１７  台枠、
１７ａ  上端部、
１８  支持枠、
１８ａ  下端部、
１９，１９Ａ  高さ調整ジョイント管、
２２  吸液性硬質シート材。
【図１】
2019118636.tif 000003
【図２】
2019118636.tif 000004
【図３】
2019118636.tif 000005
【図４】
2019118636.tif 000006
【図５】
2019118636.tif 000007
【図６】
2019118636.tif 000008